(57)【要約】【課題】一人の作業者でも部材の取り付け作業の安定した実施を可能とする。【解決手段】部材仮受用治具１０は、建物１を構成する梁２に天井パネル６を取り付ける際に用いられる。梁２に係合する係合部２２を有する躯体係合部材２０と、天井パネル６を保持するパネル固定部材３０と、躯体係合部材２０とパネル固定部材３０を連結するワイヤーＷと、を備え、躯体係合部材２０が梁２に係合した状態で、パネル固定部材３０が梁２と対向する位置に天井パネル６を保持する。【選択図】図４
2020105706.tif 000002
【特許請求の範囲】
【請求項１】
建物を構成する躯体に枠部材を取り付ける際に用いられる部材仮受用治具であって、
前記躯体に係合する係合部を有する第１部材と、
前記枠部材を保持する第２部材と、
前記第１部材と前記第２部材を連結する連結部材と、を備えることを特徴とする部材仮受用治具。
【請求項２】
前記第１部材は、
一端部に前記係合部を有し前記躯体に載置される載置部と、
前記係合部から離間した位置において、該載置部から下方に突出する突出部と、を有することを特徴とする請求項１に記載の部材仮受用治具。
【請求項３】
前記第１部材は、前記載置部の他端部に前記載置部から下方に曲折して設けられた操作部を有することを特徴とする請求項２に記載の部材仮受用治具。
【請求項４】
前記枠部材は、前記枠部材から突出する係合突部が設けられ、
前記第２部材は、前記係合突部と係合する被係合部を有し、
該被係合部は、前記係合突部が挿通される挿通孔と、該挿通孔と連続して設けられ、前記係合突部を受容する受容溝と、を備えることを特徴とする請求項１乃至３のいずれか一項に記載の部材仮受用治具。
【請求項５】
前記第２部材は、前記連結部材が取り付けられる連結部材取付部を有し、
該連結部材取付部は、前記被係合部から傾斜して延出し、
前記第１部材が前記躯体に係合したときに、前記被係合部が略鉛直となることを特徴とする請求項４に記載の部材仮受用治具。
【請求項６】
前記連結部材はワイヤーであることを特徴とする請求項１乃至５のいずれか一項に記載の部材仮受用治具。
【発明の詳細な説明】
【技術分野】
【０００１】
本発明は、建物における部材の仮受けに用いられる部材仮受用治具に関する。
【背景技術】
【０００２】
戸建住宅や集合住宅等の建物において、天井パネルや壁パネルを容易に取り外し交換することが可能なユニットルーム（特許文献１）や、天井パネルを落とし込みにて組み付ける天井パネル組付け方法及び天井パネル用組付け治具を用いる技術（特許文献２）が知られている。
【０００３】
また、天井の内装下地材として格子状の天井パネルを設けることがあるが、天井パネルは、例えば柱や梁等の躯体に固定された桟木にビスや釘等で連結される。
【先行技術文献】
【特許文献】
【０００４】
【特許文献１】特開２０１４−２１４４４１号公報
【特許文献２】特開２００９−０６８２２５号公報
【発明の概要】
【発明が解決しようとする課題】
【０００５】
しかし、天井パネルを取り付ける位置は高いため、天井パネルを支えながら天井パネルを取り付ける作業は非常に負担が大きかった。特に、作業者が一人である場合には、作業を安定して行うことが極めて困難となっていた。
【０００６】
このように、建物に天井パネル等の部材を取り付ける際の安定した取り付け作業の実施が課題となっている。
【０００７】
本発明は、上記の課題に鑑みてなされたものであって、その目的は、一人の作業者でも部材の取り付け作業の安定した実施が可能となる部材仮受用治具を提供することにある。
【課題を解決するための手段】
【０００８】
前記課題は、本発明の部材仮受用治具によれば、建物を構成する躯体に枠部材を取り付ける際に用いられる部材仮受用治具であって、前記躯体に係合する係合部を有する第１部材と、前記枠部材を保持する第２部材と、前記第１部材と前記第２部材を連結する連結部材と、を備えることにより解決される。
【０００９】
上記のように構成された本発明の部材仮受用治具によれば、建物に取り付ける天井パネルなどの枠部材を取付位置に仮受けすることが可能となり、作業者は枠部材の取り付け作業に集中できる。これにより、枠部材を保持する作業者を不要とし、一人の作業者でも安定した枠部材の取り付け作業の実施が可能となる。また、躯体に係合する第１部材と枠部材を保持する第２部材が連結部材によって連結されているため、枠部材を取付位置に配置する位置決めの精度を向上させることができる。
【００１０】
また、上記の構成において、前記第１部材は、一端部に前記係合部を有し前記躯体に載置される載置部と、前記係合部から離間した位置において、該載置部から下方に突出する突出部と、を有するとよい。
上記の構成では、載置部がその一端部において躯体に係合しつつ、係合部から離間した位置において突出部が下方に突出しているため、第１部材が回転することが抑制される。
【００１１】
また、上記の構成において、前記第１部材は、前記載置部の他端部に前記載置部から下方に曲折して設けられた操作部を有するとよい。
上記の構成では、第１部材が、係合部とは反対側の端部に下方に曲折する操作部を有しているため、第１部材を上方へと持ち上げて躯体から外す操作が容易ものとなる。
【００１２】
また、上記の構成において、前記枠部材は、前記枠部材から突出する係合突部が設けられ、前記第２部材は、前記係合突部と係合する被係合部を有し、該被係合部は、前記係合突部が挿通される挿通孔と、該挿通孔と連続して設けられ、前記係合突部を受容する受容溝と、を備えるとよい。
上記の構成では、枠部材から突出する係合突部（例えば、ネジの頭部）を挿通孔に挿通し、受容溝に受容することで、枠部材を第２部材の被係合部に保持させることが容易なものとなる。
【００１３】
また、上記の構成において、前記第２部材は、前記連結部材が取り付けられる連結部材取付部を有し、該連結部材取付部は、前記被係合部から傾斜して延出し、前記第１部材が前記躯体に係合したときに、前記被係合部が略鉛直となるとよい。
上記の構成では、連結部材取付部が被係合部から傾斜して延出することで重心が偏心しており、第１部材が躯体に係合した際に、第２部材の被係合部が略鉛直となるため、枠部材を被係合部に取り付ける作業が容易なものとなる。
【００１４】
また、上記の構成において、前記連結部材はワイヤーであるとよい。
上記の構成では、躯体と係合した第１部材にワイヤーで第２部材が連結されているため、第２部材に保持された枠部材の位置を容易に変更することができる。
【発明の効果】
【００１５】
本発明に係る部材仮受用治具によれば、一人の作業者でも部材を取り付ける作業の安定した実施が可能となる。
【図面の簡単な説明】
【００１６】
【図１】建物の躯体の構成を模式的に示す図である。
【図２】天井パネルの構成を示す図である。
【図３Ａ】本実施形態に係る部材仮受用治具の正面図である。
【図３Ｂ】本実施形態に係る部材仮受用治具の上面図である。
【図３Ｃ】本実施形態に係る部材仮受用治具の側面図である。
【図４】図１のＩＶ−ＩＶ断面図であって、部材仮受用治具を用いて天井パネルを仮受けした状態を示す図である。
【図５】部材仮受用治具を用いて天井パネルを仮受けした状態を示す部分拡大図である。
【図６】天井パネルに取り付けられたネジをパネル固定部材の被係合部に係合させるときの状態を示す説明図である。
【図７】本実施形態の変形例に係る部材仮受用治具の正面図である。
【図８】変形例に係る部材仮受用治具を用いて天井パネルを仮受けした状態を示す部分拡大図である。
【発明を実施するための形態】
【００１７】
以下、図１乃至図８に基づき、本発明の一実施形態（以下、本実施形態）に係る部材仮受用治具１０について説明する。
本実施形態に係る部材仮受用治具１０は、戸建住宅等の建物１の天井パネル６等の枠体を取り付ける取り付け作業において、枠体を仮受けするために用いられるものである。
【００１８】
図１には、建設作業中の建物１の構造を部分的に示した。図１に示されるように、建物１は、梁２、柱３等の躯体を備える。なお、図１においては、建物１の構造を簡略化して示しているため、実際の構造とは相違する点が含まれていることがある。
【００１９】
梁２は、例えば金属製の梁（鉄骨梁）であり、上端及び下端部にはフランジ２Ａが形成されている。梁２は、上端と下端のフランジ２Ａの間がウェブ２Ｂで接続された断面略Ｈ形状のＨ形鋼の鉄骨梁であり、フランジ２Ａが地面に対して水平に配置されている。柱３は、例えば金属製の柱（鉄骨柱）であり、梁２とボルト５により連結されている。所定サイズの角材である不図示の桟木が、梁２の下において、不図示の天井吊ランナーにより梁２に対して固定されている。天井吊ランナーは上部のクリップ部がフランジ２Ａに係止されるとともに、天井吊ランナーの下部がビス等の取付具により桟木と固定されている。
【００２０】
次に、図１に示される建物１の梁２に対して天井パネル６を仮受けする作業について説明する。図２には、天井パネル６の構成例を示した。図２に示されるように、天井パネル６は、外枠部を構成する枠部材６Ａと、枠部材６Ａの間に配される中間部材６Ｂとを、接続部材６Ｃにより連結した格子形状をなす枠体である。２本の接続部材６Ｃの長手方向における中心付近には、それぞれネジ６Ｄが取り付けられている。以下、本実施形態では、天井パネル６の枠部材６Ａや接続部材６Ｃを梁２に仮受けすることとする。
【００２１】
＜部材仮受用治具１０＞
次に、図３Ａ乃至３Ｃを参照しながら、部材仮受用治具１０の構成について説明する。部材仮受用治具１０は、各部材を金属、樹脂、木などの材料を用いて作製されている。
【００２２】
図３Ａには、部材仮受用治具１０の正面図を、図３Ｂには、部材仮受用治具１０の上面図を、図３Ｃには、部材仮受用治具１０の側面図を示した。
【００２３】
図３Ａに示されるように、部材仮受用治具１０は、主な構成として躯体係合部材２０（第１部材）と、パネル固定部材３０（第２部材）と、ワイヤーＷ（連結部材）と、を備えている。以下に詳述するように、躯体係合部材２０は、躯体を構成する梁２に係合し、パネル固定部材３０は天井パネル６を保持する機能を有している。
【００２４】
以下、部材仮受用治具１０の構成における上下方向は、躯体係合部材２０が上、パネル固定部材３０が下の状態である場合における上下方向とする。
【００２５】
（躯体係合部材２０）
躯体係合部材２０（第１部材）は、図３Ａに示すように、正面視において略コ字状に曲折して形成されており、梁２の上部のフランジ２Ａに載置される載置部２１を有している。載置部２１は、その一端部に、梁２の上部のフランジ２Ａのエッジと係合する係合部２２が形成されている。
【００２６】
係合部２２は、梁２のフランジ２Ａを受容するように折り曲げられており、その内側の端部が下方に傾斜している。また、図３Ａ及び図３Ｂに示すように、躯体係合部材２０は、係合部２２が設けられた端部とは反対側の他端部に載置部２１から下方に曲折して操作部２３が設けられている。
【００２７】
そして、躯体係合部材２０は、係合部２２から離間した位置において、載置部２１から下方に突出する突出部２４を有している。図３Ａ及び図３Ｂに示す例では、載置部２１に設けた不図示の貫通孔にボルトを挿通し、ナットを取り付けることで突出部２４が構成されている。
【００２８】
（パネル固定部材３０）
パネル固定部材３０（第２部材）は、図３Ａ及び図３Ｃに示すように、ワイヤーＷが取り付けられるワイヤー取付部３１（連結部材取付部）と、天井パネル６に取り付けられたネジ６Ｄ（係合突部）と係合する被係合部３２と、被係合部３２から曲折して設けられた下方延出部３３と、を有している。
【００２９】
図３Ａに示すように、ワイヤー取付部３１は、被係合部３２から傾斜して延出しており、躯体係合部材２０が梁２に係合したときに、被係合部３２が略鉛直となるように構成されている。ワイヤー取付部３１において、被係合部３２と反対側の端部付近にワイヤーＷが取り付けられる。
【００３０】
ここで、図３Ｃに示すように、被係合部３２は、ネジ６Ｄの頭部及び軸部が挿通される挿通孔３２ａと、挿通孔３２ａと連続して設けられ、ネジ６Ｄの軸部を受容する受容溝３２ｂを備えている。なお、受容溝３２ｂの幅は、ネジ６Ｄの軸部を受け入れ可能であり、かつ、挿通孔３２ａの直径よりも小さくなるように構成されている。
【００３１】
（ワイヤーＷ）
ワイヤーＷ（連結部材）は、例えば、可撓性を有する金属製の線材であり、図３Ａに示すように、上方の第１端部Ｗ１と、下方の第２端部Ｗ２と、を備えている。ワイヤーＷの第１端部Ｗ１は、係合部２２よりも操作部２３に近い位置において、躯体係合部材２０の載置部２１に対して取り付けられている。ワイヤーＷの第２端部Ｗ２は、パネル固定部材３０のワイヤー取付部３１の端部付近に取り付けられている。
【００３２】
＜部材仮受用治具１０を用いた天井パネル６の仮受け＞
次に、図４乃至図６を参照しながら、天井パネル６を部材仮受用治具１０により仮受けする作業の工程について説明する。
【００３３】
図４及び図５に示されるように、部材仮受用治具１０は、躯体係合部材２０の係合部２２が梁２の上部のフランジ２Ａに係合した状態で、ワイヤーＷによって吊り下げられたパネル固定部材３０の被係合部３２に、天井パネル６を構成する接続部材６Ｃから突出するネジ６Ｄ（係合突部）を係合させることで、梁２と対向する位置に天井パネル６を仮受けする。
【００３４】
まず、作業者は、１枚の天井パネル６に対して、２つの部材仮受用治具１０を用意して、部材仮受用治具１０のパネル固定部材３０に対して天井パネル６を取り付ける。具体的には、パネル固定部材３０の被係合部３２にネジ６Ｄを相通して固定する。より詳細には、図６の左図に示すように、ネジ６Ｄの頭部及び軸部を被係合部３２の挿通孔３２ａに挿通した後に、図６の右図に示すように、ネジ６Ｄの軸部を受容溝３２ｂに受容させる。この状態で、ネジ６Ｄを締め付けることで、パネル固定部材３０に対して天井パネル６が取り付けられる。同様の手順で、もう一方のネジ６Ｄに対してもパネル固定部材３０を取り付けて、天井パネル６の両端部にそれぞれ２つの部材仮受用治具１０が取り付けられた状態とする。
【００３５】
次に、作業者は、天井パネル６を持ち上げて、梁２と対向する下方位置に配置する。このとき、天井パネル６に取り付けられたパネル固定部材３０からワイヤーＷによって連結された躯体係合部材２０が垂れ下がっているため、作業者が躯体係合部材２０を容易に手元に手繰り寄せることができる。そして、躯体係合部材２０を梁２に引っ掛けるようにして係合させる。具体的には、躯体係合部材２０の係合部２２を、梁２の上部のフランジ２Ａに引っ掛け、載置部２１をフランジ２Ａの上面に載置する。
【００３６】
作業者は、同様の手順で、もう一方の部材仮受用治具１０の躯体係合部材２０を、梁２に引っ掛ける。このようにして、２つの部材仮受用治具１０によって、天井パネル６が吊り下げられた状態となることで梁２と対向する位置に保持されて仮受けがなされる。
【００３７】
図４に示すように、躯体係合部材２０の係合部２２がフランジ２Ａに係合した際に、上部のフランジ２Ａの下面と係合部２２の間に隙間ができている。つまり、部材仮受用治具１０は、異なるフランジ厚の梁２に対しても適用することが可能であるように構成されている。梁２のフランジ厚が薄い場合、躯体係合部材２０の係合部２２を係合させた際に、躯体係合部材２０が回転して、フランジ２Ａに対して傾斜して、浮いてしまうことがある。躯体係合部材２０は、係合部２２から離間した位置において、載置部２１から下方に突出する突出部２４がストッパーの役割を果たすことで、躯体係合部材２０の回転が抑制される。
【００３８】
最後に、天井パネル６を梁２に対して固定した後に、部材仮受用治具１０を取り外す。具体的には、図６の右図の状態にあるネジ６Ｄを緩めて、パネル固定部材３０を図６の左図に示す状態に持ち上げることで、パネル固定部材３０を天井パネル６から取り外す。そして、操作部２３を上方に持ち上げるように操作して、躯体係合部材２０を梁２のフランジ２Ａから取り外す。
【００３９】
以上説明した部材仮受用治具１０によれば、建物１に取り付ける天井パネル６を部材仮受用治具１０により取付位置に仮受けすることにより、作業者は天井パネル６の取り付け作業に集中できる。これにより、天井パネル６を保持する作業者を不要とし、一人の作業者でも安定した天井パネル６の取り付け作業の実施が可能となる。また、部材仮受用治具１０を用いることで、天井パネル６を取付位置に配置する位置決め精度を向上させることができる。
【００４０】
また、部材仮受用治具１０は、梁２と係合した躯体係合部材２０が、パネルが固定されたパネル固定部材３０と、連結部材としてのワイヤーＷによって連結されているため、仮受けされた天井パネル６の位置を調整が容易である。したがって、部材仮受用治具１０を用いる場合、天井パネル６を梁２などの躯体に対して固定して仮受けする場合と比較して、位置ずれを容易に修正することが可能となる。
【００４１】
また、部材仮受用治具１０のパネル固定部材３０が被係合部３２から曲折して設けられた下方延出部３３を有しているため、天井パネル６に対するパネル固定部材３０の取付方向を間違えることが防止される。
【００４２】
また、部材仮受用治具１０は、ワイヤー取付部３１が被係合部３２から傾斜して延出することで重心が偏心しており、躯体係合部材２０が梁２に係合した際に、パネル固定部材３０の被係合部３２が略鉛直となるため、天井パネル６を被係合部３２に取り付ける作業が容易なものとなる。
【００４３】
また、部材仮受用治具１０を用いる場合、天井パネル６を２カ所で吊るようにして梁２に対向する位置、すなわち、取付位置の近傍に仮受けすることが可能であり、複数の治具を用いる必要がないため、作業の効率が向上する。
【００４４】
＜変形例＞
本発明は上記の実施形態に限定されるものではない。本実施形態の変形例に係る部材仮受用治具１０Ｘを図７及び図８を用いて説明する。パネル固定部材３０及びワイヤーＷは、上記の実施形態に係る部材仮受用治具１０と同様の構成であるため、以下では、同じ符号を用い、説明を省略する。
【００４５】
図７に示す部材仮受用治具１０Ｘは、建物１の２階の外周部や１階の下屋部に対応可能に構成されている。ここで、建物１の２階の外周部や１階の下屋部では、図８に示すように、梁２の上部のフランジ２Ａの上に、不図示の屋根パネルを取り付けるリップ溝形鋼Ｃ（Ｃチャネル）が設けられている。
【００４６】
変形例に係る部材仮受用治具１０Ｘは、図７に示すように、躯体係合部材２０Ｘ（第１部材）の係合部２２Ｘが、リップ溝形鋼Ｃの下側リップに係合可能な形状となっている。図７及び図８に示すように、躯体係合部材２０Ｘは、上方に向かうように屈曲した屈曲部２１Ｘを備え、屈曲部２１Ｘは、その上方に屈曲した一端部に、リップ溝形鋼Ｃの下側リップを挟み込むように係合する係合部２２Ｘが形成されている。また、図７及び図８に示すように、躯体係合部材２０Ｘは、係合部２２Ｘが設けられた端部とは反対側の他端部に屈曲部２１Ｘから下方に曲折して操作部２３Ｘが設けられている。
【００４７】
変形例に係る部材仮受用治具１０Ｘによれば、リップ溝形鋼Ｃが取り付けられた建物１の２階の外周部や１階の下屋部の梁２に対しても天井パネル６を保持することができる。
【００４８】
上記の実施形態では、１つの躯体係合部材２０に対して、１つのパネル固定部材３０が１本のワイヤーＷによって連結されていたが、１つの躯体係合部材２０に対して、２つのパネル固定部材３０をそれぞれワイヤーＷによって連結することも可能である。例えば、係合部２２側に、載置部２１を延長し、ワイヤーＷによってパネル固定部材３０を連結することで、１つの部材仮受用治具１０を、隣接する２つの天井パネル６の仮受けに利用することが可能となる。
【００４９】
上記の実施形態において、梁２の上部のフランジ２Ａに載置される躯体係合部材２０の載置部２１に磁石を埋め込んだり、載置部２１を帯磁可能な金属としたりすることで、金属製の梁２のフランジ２Ａに対して、載置部２１が磁力で固定されるようにしてもよい。このような構成によれば、躯体係合部材２０の梁２に対する係合状態が安定する。
【００５０】
上記の実施形態において、ワイヤーＷの第１端部Ｗ１と第２端部Ｗ２がそれぞれ、躯体係合部材２０とパネル固定部材３０に取り付けられて固定されていたが、ワイヤーＷの長さを変更できるようにしてもよい。例えば、第１端部Ｗ１や第２端部Ｗ２にネジ切りされたスリーブ部材を取り付け、載置部２１やワイヤー取付部３１に対応するネジ穴を設け、スリーブ部材を回転させると、第１端部Ｗ１や第２端部Ｗ２の位置が変更されるように構成してもよい。このような構成によれば、仮受けした天井パネル６の位置を調整することが可能となる。
【００５１】
上記の実施形態では、ネジ６Ｄが、接続部材６Ｃの長手方向における中心付近に取り付けられていたが、ネジ６Ｄを取り付ける位置は、天井パネル６を安定して吊り下げることが可能な位置であれば他の場所であってもよい。例えば、枠部材６Ａに対してネジ６Ｄを取り付けることも可能である。
【符号の説明】
【００５２】
１  建物
２  梁
２Ａ  フランジ
２Ｂ  ウェブ
３  柱
５  ボルト
６  天井パネル
６Ａ  枠部材
６Ｂ  中間部材
６Ｃ  接続部材
６Ｄ  ネジ（係合突部）
１０  部材仮受用治具
２０  躯体係合部材（第１部材）
２１  載置部
２２  係合部
２３  操作部
２４  突出部
３０  パネル固定部材（第２部材）
３１  ワイヤー取付部（連結部材取付部）
３２  被係合部
３２ａ  挿通孔
３２ｂ  受容溝
３３  下方延出部
Ｗ  ワイヤー（連結部材）
Ｗ１  第１端部
Ｗ２  第２端部
１０Ｘ  部材仮受用治具
２０Ｘ  躯体係合部材（第１部材）
２１Ｘ  屈曲部
２２Ｘ  係合部
２３Ｘ  操作部
Ｃ  リップ溝形鋼
【図１】
2020105706.tif 000003
【図２】
2020105706.tif 000004
【図３Ａ】
2020105706.tif 000005
【図３Ｂ】
2020105706.tif 000006
【図３Ｃ】
2020105706.tif 000007
【図４】
2020105706.tif 000008
【図５】
2020105706.tif 000009
【図６】
2020105706.tif 000010
【図７】
2020105706.tif 000011
【図８】
2020105706.tif 000012